(57)【要約】【課題】  高周波出力の出力値等を変更した場合にも適切な排煙動作を行うことができる電気手術装置を提供する。【解決手段】  腹腔１３内に送気する機能と、吸引により排煙する機能とを備えた送気装置５における両機能の動作を制御する制御部２４に対して、高周波出力のＯＮ／ＯＦＦの指示操作を行う出力スイッチ３８のＯＮ／ＯＦＦ信号と共に、高周波出力の出力値の情報とを入力することにより、電気メス３２による処置の際に発生する煙を、出力値に応じて適切に排煙する。【選択図】  図２
2006288553.tif 000002
【特許請求の範囲】
【請求項１】
高周波電源装置からの高周波出力信号を体腔内に挿入される処置具に供給して、体腔内の生体組織に対する処置を行う電気手術手段と、
体腔内に気体を注入する送気手段と、
前記体腔内で発生する煙を排気する排煙手段とを備えた電気手術装置において、
前記処置具に供給される高周波出力信号の出力エネルギに関する設定を行う出力設定手段と、
前記出力設定手段により設定される前記出力エネルギの設定情報に応じて、前記排煙手段による排煙量を制御する排煙制御手段と、
を具備したことを特徴とする電気手術装置。
【請求項２】
前記出力設定手段は、前記処置具に供給される高周波出力信号の出力値、処置機能に対応した出力波形ないしは出力モードのいずれかを設定することを特徴とする請求項１に記載の電気手術装置。
【請求項３】
前記排煙制御手段は、前記処置具に前記高周波出力信号が供給される開始時、或いは前記処置具に供給されていた前記高周波出力信号の供給停止時との少なくとも一方のタイミングから前記出力エネルギの実効的な値に応じて前記排煙動作の時間を可変制御することを特徴とする請求項１に記載の電気手術装置。
【請求項４】
さらに前記高周波出力信号をモニタするモニタ手段を有し、前記モニタ手段による判定結果により、前記排煙制御手段は、前記排煙手段による排煙動作量を制御することを特徴とする請求項１に記載の電気手術装置。
【発明の詳細な説明】
【技術分野】
【０００１】
本発明は、排煙機能を備え、高周波出力信号で切開等の処置を行う電気手術装置に関する。
【背景技術】
【０００２】
近年、内視鏡の観察下で高周波焼灼装置により外科手術を行う装置が広く用いられるようになった。このような高周波焼灼装置（電気メス装置ともいう）により外科手術を行うと、生体組織の変性が進むと同時に煙やミスト（水蒸気）が発生し、術者の観察視野を遮ることがある。  
このため、従来例では、図１２に示すように高周波焼灼装置の出力スイッチをＯＮにして高周波出力信号（図面中では高周波出力と略記）を出力状態（ＯＮ）にして処置を行うと同時に、排煙動作もＯＦＦからＯＮにして排煙動作を行うようにしていた。つまり、処置を行う高周波出力信号がＯＮとなる期間、排煙動作もＯＮとなるようにしていた。  
また、出力スイッチがＯＦＦになると高周波出力信号もＯＦＦとなり、さらに排煙動作もＯＦＦになる。
【特許文献１】特開平６−１７８７８０号公報
【発明の開示】
【発明が解決しようとする課題】
【０００３】
上記のように処置を行う高周波出力信号がＯＮからＯＦＦになると、排煙動作もＯＦＦになってしまうため、体腔内には煙が残ってしまう場合がある。  
一方、例えば特開平６−１７８７８０号公報には、高周波出力信号がＯＮになった後、一定時間後に吸引ポンプを作動させて排煙動作を行い、高周波出力信号がＯＦＦになった後にも排煙動作を行うことができるようにしている。  
しかし、この公報の従来例では、高周波出力する際の設定値（出力値）を変えて行うような場合には、排煙動作を適切に行い難い問題がある。
【０００４】
（発明の目的）
本発明は上述した点に鑑みてなされたもので、高周波出力の出力値等を変更した場合にも適切な排煙動作を行うことができる電気手術装置を提供することを目的とする。
【課題を解決するための手段】
【０００５】
本発明は、高周波電源装置からの高周波出力信号を体腔内に挿入される処置具に供給して、体腔内の生体組織に対する処置を行う電気手術手段と、
体腔内に気体を注入する送気手段と、
前記体腔内で発生する煙を排気する排煙手段とを備えた電気手術装置において、
前記処置具に供給される高周波出力信号の出力エネルギに関する設定を行う出力設定手段と、
前記出力設定手段により設定される前記出力エネルギの設定情報に応じて、前記排煙手段による排煙量を制御する排煙制御手段と、
を具備したことを特徴とする。  
上記構成により、排煙制御手段は、出力設定手段による出力エネルギの設定情報に応じて排煙手段により排煙の動作時間等による排煙量を制御することにより、高周波出力の出力値の変更等に対しても適切に排煙の動作を行えるようにしている。
【発明の効果】
【０００６】
本発明によれば、高周波出力の出力値の変更等に対しても適切に排煙動作を行うことができる。
【発明を実施するための最良の形態】
【０００７】
以下、図面を参照して本発明の実施例を説明する。  
【実施例１】
【０００８】
図１ないし図４は本発明の実施例１に係り、図１は本発明の実施例１の電気手術システムの全体構成を示し、図２は図１における主要部の構成を示し、図３は本実施例における排煙動作のタイミング図を示し、図４は本実施例における排煙動作のフローチャートを示す。  
図１に示すように本発明の実施例１を備えた電気手術システム１は、内視鏡装置２と、この内視鏡装置２と共に使用される外科手術装置としての例えば高周波焼灼装置（電気メス装置）３と、体腔内に送気（気体注入）及び排煙を行う機能を備えた送気装置５とからなる。  
内視鏡装置２は、ベッド６に横たわる患者７の例えば腹腔内を観察するＴＶカメラ装着内視鏡８と、このＴＶカメラ装着内視鏡８に照明光を供給する光源装置９と、ＴＶカメラ装着内視鏡８に対する信号処理を行うカメラコントロールユニット（ＣＣＵと略記）１１と、このＣＣＵ１１から出力される映像信号が入力されることにより、ＴＶカメラ１７で撮像した内視鏡画像を表示するモニタ１２とを有する。
【０００９】
図２に示すように患者７の例えば腹腔１３内に、トラカール１４を介してＴＶカメラ装着内視鏡８を構成する光学式内視鏡１５の挿入部が挿入される。この光学式内視鏡１５の把持部に接続されたライトガイドケーブル１６は、図１の光源装置９に接続され、光源装置９からの照明光がライトガイドケーブル１６を介して光学式内視鏡１５のライトガイドに供給される。この照明光は、ライトガイドの先端が取り付けられた照明窓から出射され、腹腔１３内を照明する。  
照明窓に隣接して設けられた観察窓には図示しない対物レンズが配置され、その対物レンズによる光学像はリレー光学系により接眼部に伝送され、この接眼部に装着されたＴＶカメラ１７によりその結像位置に配置された固体撮像素子に結像される。この固体撮像素子は、カメラケーブル１８を介してＣＣＵ１１と接続され、ＣＣＵ１１は、この固体撮像素子により光電変換された撮像信号に対する信号処理を行い、映像信号を生成してモニタ１２に出力する。そして、内視鏡画像がモニタ１２により表示される。  
また、トラカール１４における通気路の口金には、送気チューブ２１の一端が接続され、この送気チューブ２１の他端は、送気装置５内の送気を行うバルブユニット２２の送気側口金２２ｂに接続される。
【００１０】
このバルブユニット２２の供給側口金は、例えば炭酸ガスボンベ２３とチューブを介して接続され、炭酸ガスボンベ２３からの炭酸ガスがバルブユニット２２により流量が調整されて、送気チューブ２１を介して腹腔１３内に送気（注入）される。  
このバルブユニット２２の送気動作は、制御部２４により制御される。また、この送気装置５は、吸引することにより体腔内の煙或いはミスト（以下、煙で両方を代表する）を排出する排煙動作を行う吸引ポンプ２５を内蔵しており、この吸引ポンプ２５の動作も制御部２４により制御線２６からの制御信号で制御される。  
なお、本実施例では、排煙動作を行う排煙手段としての吸引ポンプ２５を、送気手段としての送気装置５内に設けているがそれぞれを別体で、制御線を介して接続される構造にしても同様に適用できる。  
上記制御部２４には、送気指示操作と排気指示（排煙）操作を行う例えばフットスイッチ等からなる出力スイッチ２７が接続されており、この出力スイッチ２７を操作することにより送気及び排気指示を制御部２４に指示入力することができる。
【００１１】
また、吸引ポンプ２５の排気側口金は、煙除去用ボトル２８及び逆止弁２９を介挿した排気用（吸引用）チューブ３０を介してトラカール３１の通気路に連通するように接続されている。  
腹腔１３内には、このトラカール３１を介して高周波出力（高周波電流）で処置を行う処置具としての電気メス３２が刺入される。このトラカール３１には、腹腔１３内に連通する通気路が設けてあり、その通気路の開口端にチューブ３０が接続され、腹腔１３内で発生した煙を吸引ポンプ２５による吸引動作により排気できるようにしている。  
上記電気メス３２は、アクティブコード３３ａを介して高周波電源装置３４のアクティブ端子に接続される。また、この高周波電源装置３４のリターン端子には、リターンコード３３ｂを介して患者７の臀部等に広い面積で接触している患者プレート３５と接続される。
【００１２】
この高周波電源装置３４は、高周波出力信号を発生する高周波発生部３６と、この高周波出力信号の出力／出力停止を制御する制御部３７と、この制御部３７に対して高周波出力信号の出力（ＯＮ）／出力停止（ＯＦＦ）の指示操作を行う出力スイッチ３８とを有する。また、高周波発生部３６は、高周波発生回路３６ａにより発生された高周波出力信号を出力トランス３６ｂを介して電気メス３２に供給し、電気メス３２により切開等の処置を行うことができる。なお、電気メス装置３は、電気メス３２及び高周波電源装置３４により構成される。  
また、本実施例においては、高周波電源装置３４には、出力スイッチ３８がＯＮにされた場合、電気メス３２に供給される高周波出力信号の出力値、出力波形等、電気メス３２に供給される高周波出力のエネルギ値に関する設定を行う出力設定部３９が設けてあり、この出力設定部３９による設定情報は制御部３７に入力される。この出力設定部３９により、出力モードの選択設定を行うこともできる。この出力モードは、実施例３において排煙動作の制御に利用される。
【００１３】
そして、制御部３７は、出力スイッチ３８がＯＮにされた場合、この出力設定部３９による設定情報としての出力値で高周波出力信号を電気メス３２側に供給するように高周波発生部３６を制御する。  
また、本実施例においては、送気装置５に内蔵された制御部２４に対して、排煙（吸引）指示の指示信号の入力を行うコネクタ受け４１が設けてあり、このコネクタ受け４１には通信ケーブル４２の一端に設けたコネクタ４２ｂが接続され、その他端のコネクタ４２ａは高周波電源装置３４のコネクタ受け４３に接続される。  
高周波電源装置３４のコネクタ受け４３の２つの接点は、制御部３７と出力設定部３９とに接続され、制御部３７から出力スイッチ３８による高周波出力のＯＮ／ＯＦＦ信号と出力設定部３９からの出力設定情報（本実施例では出力値）とがこのコネクタ受け４３の２つの接点に接続される通信ケーブル４２を経て送気装置５の制御部２４に送信して入力される。なお、出力設定部３９の出力値を制御部２４に送信する場合、制御部３７から出力スイッチ３８によるＯＮ／ＯＦＦ信号と共に共通の伝送線で送信するようにしても良い。
【００１４】
なお、術者５３ａ、或いは５３ｂは、出力設定部３９を操作することにより、高周波出力信号の出力値や出力モード（処置する機能に対応したモード）を設定することができる。  
そして、送気手段を制御すると共に、排煙手段を制御する排煙制御手段としての制御部２４は、出力スイッチ３８による高周波出力のＯＮ／ＯＦＦ信号と、出力設定部３９からの出力設定情報とにより、吸引ポンプ２５による排煙動作の時間の制御（本実施例の場合）を行うことにより排煙量の制御を行うようにしていることが特徴となっている。  
より具体的には、処置具としての電気メス３２による処置する際のエネルギ値が大きい程、発生する煙の量も大きくなるため、設定された出力値（エネルギ値）が大きい程、排煙動作の時間が長く（大きく）なるように排煙量を制御する。  
また、図２に示すようにバルブユニット２２は、供給圧センサ４５、減圧器４６、電空比例弁４７、電磁弁４８、圧力センサ４９、流量センサ５０を内蔵しており、供給側口金に接続された炭酸ガスボンベ２３から炭酸ガスが供給される。
【００１５】
炭酸ガスボンベ２３に貯留されている液状の二酸化炭素は、気化されてバルブユニット２２内の内部管路を介して減圧器４６に導かれる。そして、炭酸ガスは減圧器４６により所定の圧力に減圧された後、内部管路に導かれ、電空比例弁４７により、腹腔内に適した圧力に調節される。  
そして、この電空比例弁４７により調整された腹腔用の炭酸ガスは、電磁弁４８、流量センサ５０を介して腹腔用供給口金２２ｂ、送気チューブ２１を通って腹腔１３内に導かれるようになっている。  
供給圧センサ４５は、炭酸ガスボンベ２３から供給される炭酸ガスの圧力を計測して、その計測結果を制御部２４に出力する。減圧器４６は、炭酸ガスボンベ２３から供給された炭酸ガスの圧力を所定の圧力に減圧し、電空比例弁４７に供給する。
【００１６】
電空比例弁４７は、制御部２４によって圧力の制御が可能で、減圧器４６によって減圧された圧力を、制御部２４からの制御信号に基づいてさらに所定の範囲内で調節する。    例えば、電空比例弁４７は、制御部２４からの制御信号に基づいて減圧器４６により減圧された炭酸ガスの圧力を０〜５００ｍｍＨｇの範囲内で減圧可能である。  
電磁弁４８は、制御部２４によって開閉制御が可能なバルブであり、制御部２４からの制御信号に基づいて開状態又は閉状態に切り替えられる。  
圧力センサ４９は、電磁弁４８が閉じているとき、腹腔の圧力を計測して、その計測結果を制御部２４に出力する。  
流量センサ５０は、電磁弁４８を通過してこの内部管路を流れる炭酸ガスの流量を計測して、その計測結果を制御部２４に出力する。
【００１７】
なお、図示はしないが電磁弁４８と流量センサ５０との間に排気弁を設けても良い。この排気弁は、圧力センサ４９の計測値が腹腔内圧力設定値を超えているとき、制御部２４からの制御信号に基づいて腹腔内圧力を減圧させるために弁を開放状態にするようになっている。  
制御部２４は、供給された各計測結果及び検出結果に基づいて、電空比例弁４７の圧力制御、電磁弁４８の開閉制御等を行う。  
また、送気装置５には、その正面等に設定操作部５１が設けてあり、術者５３ａ、５３ｂは設定操作部５１により設定した情報を制御部２４に入力することにより、制御部２４はその情報に基づき各種制御を行う。  
本実施例では、上記のように電気メス装置３による高周波出力のＯＮ／ＯＦＦ指示を行うＯＮ／ＯＦＦ信号で排煙動作の制御を行わせると共に、さらに高周波出力の出力値の設定情報によって、制御部２４は排煙動作の継続時間を出力値が大きい程、大きくなる（長くなる）ように可変設定し、高周波出力の出力値が変化した場合にもその出力値に適した排煙動作を行うことができるようにしている。
【００１８】
このような構成の本実施例の電気手術システム１による動作を図３を参照して説明する。  
患者７の腹腔１３内のポリープ等に対して、内視鏡観察下で外科手術を行うような場合、例えば図１に示すように設定してＴＶカメラ装着内視鏡８により撮像した内視鏡画像をモニタ１２に表示する。  
そして、術者５３ａ及び５３ｂは、モニタ１２に表示された内視鏡画像を観察しながら、腹腔１３内にできたポリープ等の処置対象となる生体組織を観察し、切除する必要がある場合には、電気メス装置３の電気メス３２で処置を行う。このため、例えば術者５３ａは、電気メス装置３の高周波電源装置３４の出力設定部３９の出力設定用摘み等を操作して実際に出力する高周波出力の出力値（この出力値を設定値ともいう）の設定を行う。    このように出力値の設定を行った後、例えば術者５３ａは、電気メス装置３の出力スイッチ３８を操作して高周波出力をＯＮにする指示操作を行うと、制御部３７を経て、その信号が高周波電源装置３４の高周波発生部３６内の高周波発生回路３６ａに送られ、高周波発生回路３６ａで発生された高周波出力信号が、出力トランス３６ｂを経て電気メス３２に供給される。
【００１９】
図３では出力スイッチ３８を時刻ｔ１でＯＦＦからＯＮにする操作することにより、高周波出力信号も電気メス３２に出力される。  
また、出力スイッチ３８がＯＮにされると、その信号が通信ケーブル４２を経て送気装置５の制御部２４に送られる。この場合、出力設定部３９の出力値の情報も通信ケーブル４２を経て送気装置５の制御部２４に送られる。  
そして、制御部２４は、例えば出力スイッチ３８のＯＮに同期して、図３に示すように排煙動作を開始する（図３では排煙動作の停止をＯＦＦ、排煙動作中をＯＮで示している）。  
そして、術者５３ａが出力スイッチ３８を、例えば時刻ｔ２でＯＦＦにすると、高周波出力もＯＮからＯＦＦになる。一方、排煙動作は、高周波出力がＯＦＦになった後、出力値に応じた継続時間の後にＯＮからＯＦＦになる。
【００２０】
図３では、最小設定値（最大値の例えば１０％の設定値）、最小値と最大値の中央付近の値（中央設定値）、最大設定値の場合での継続時間をそれぞれｔａ、ｔｂ、ｔｃで示すように出力値が大きい程、継続時間が大きくなる。つまり、出力値が大きい程、その出力値で生体組織等に対して処置を行った際に発生する煙の量が大きくなることが想定され、その発生する煙の量に応じて排煙動作する時間も大きくなるように可変する。  
このように、出力値に応じて排煙動作を行う時間を可変制御することにより、出力値を変更して処置を行う場合にも、従来例よりもより適切に排煙を行うことができる。  
図３に示したタイミング図の動作は、図４のフローチャートのようになる。  
図１に示すように電気メス装置３、送気装置５等が設定された後、各電源が投入されるとそれぞれ動作状態になる。そして、術者５３ａは、電気メス３２で処置を行おうとする場合には、ステップＳ１に示すように（高周波）出力値の設定を行う。  
そして、ステップＳ２に示すように電気メス装置３の制御部３７は、出力スイッチ３８がＯＮされるのを待つ状態になる（出力スイッチ３８をＯＮにしないと、ステップＳ１に戻り、出力値を変更することができる）。
【００２１】
出力スイッチ３８がＯＮされると、ステップＳ３に示すようにＯＮの信号により、電気メス装置３の高周波電源装置３４から設定された出力値で電気メス３２に高周波出力（信号）が供給される。また、通信ケーブル４２により送気装置５の制御部２４に出力スイッチ３８がＯＮされた信号が送られ、制御部２４は吸引ポンプ２５を動作させて排煙動作を開始させる。  
次のステップＳ４において電気メス装置３の制御部３７は、出力スイッチ３８がＯＦＦにされるのを監視する状態になり、ＯＦＦにされないと、ステップＳ３に戻る。  
そして、出力スイッチ３８がＯＦＦにされると、ステップＳ５に示すように電気メス装置３の制御部３７は、高周波電源装置３４による高周波出力を停止させる（ＯＦＦにする。  
また、ステップＳ６に示すように、出力スイッチ３８がＯＦＦにされた信号は、送気装置５の制御部２４に送られ、この制御部２４は、出力スイッチ３８がＯＦＦにされた時刻から出力値に応じた継続時間後に排煙動作を停止させる制御を行う。つまり、図３で示したように出力値が大きい程、制御部２４は、長い継続時間後に排煙動作を停止させることになる。
【００２２】
このように動作する本実施例は以下の効果を有する。  
本実施例によれば、出力値に応じて排煙動作を行う時間を可変制御するようにしているので、出力値を変更して処置を行う場合にも、より適切に排煙を行うことができる。従って、処置がし易くなり、操作性が向上する。また、腹腔１３内の圧力が必要以上に低下することを防止できる。  
なお、本実施例の変形例として、例えば図４のステップＳ６の制御を行う場合、制御部２４は、出力スイッチ３８がＯＮされた時間と、設定された出力値とを例えば積算した量に対応する時間だけ排煙動作を行うようにしても良い。つまり、設定された出力値の他に、出力スイッチ３８が実際にＯＮされた時間も考慮して排煙動作する時間の制御を行うようにしても良い。このようにすると、より適切な排煙を行うことができる。
【実施例２】
【００２３】
次に図５を参照して、本発明の実施例２を説明する。本実施例の構成は、実施例１と同様であり、制御部２４による排煙の制御処理が異なる。実施例１では、出力スイッチ３８がＯＮにされた場合、そのＯＮに同期して排煙動作も開始させ、出力スイッチ３８がＯＦＦにされた後、出力値に応じた継続時間だけ排煙動作を継続させるようにしていた。  
これに対して本実施例においては、制御部２４は、出力スイッチ３８がＯＮにされた場合、そのＯＮされたタイミングから出力値が大きい程、遅延時間を短くして排煙動作を開始させるように制御する。  
本実施例による動作は、図５のタイミング図のようになる。実施例１の場合と同様に出力スイッチ３８を時刻ｔ１でＯＦＦからＯＮにし、時刻ｔ２でＯＮからＯＦＦにすると、高周波出力も時刻ｔ１でＯＦＦからＯＮに、時刻ｔ２でＯＮからＯＦＦになる。
【００２４】
一方、排煙動作は、出力スイッチ３８がＯＮにされた時刻ｔ１から遅延して動作する。具体的には、設定されている出力値の値が最大設定時には、短い遅延時間ｔｄ後に排煙動作が開始し、中央設定値の場合にはより大きな遅延時間ｔｅの後、そして最小設定値の場合には最も長い遅延時間ｔｆの後、排煙動作が開始する。  
このように出力スイッチ３８がＯＮにされて高周波出力により処置が開始しても、設定された出力値が大きい程、短い遅延時間の後に排煙動作を開始する。  
そして、出力スイッチ３８がＯＦＦにされた時刻ｔ２では、排煙動作も停止するようになる。本実施例によれば、実際に出力される出力値が変化する場合にも、極力体腔内の圧力低下を抑制して、適切な排煙を行うことができる。つまり、排煙を行った場合にも、体腔内における圧力低下を抑制できる。
【００２５】
なお、本実施例の変形例として、図６のように出力スイッチ３８がＯＦＦにされた後、設定された出力値に応じた継続時間ｔｄ′、ｔｅ′，ｔｆ′だけ、つまり出力値が大きい程、長い継続時間となるように排煙動作を行わせるようにしても良い。  
この場合には、送気装置５の制御部２４は、例えば継続時間ｔｄ′、ｔｅ′，ｔｆ′だけ送気動作を行う。このように送気動作を併用することにより、体腔内（図２の具体例では腹腔１３内）の圧力低下を防止できる。  
つまり、本変形例によれば、圧力低下を確実に防止して、より適切な排煙を行うことができる。
【実施例３】
【００２６】
次に図７を参照して、本発明の実施例３を説明する。本実施例の電気手術システムは、図１に示す実施例１において、出力設定部３９は、（高周波出力信号の出力エネルギに関連する）出力モードを設定する出力モード設定部の機能を有し、この出力モード設定部の情報を送気装置５の制御部２４に送信する構成にしている。  
そして、送気装置５の制御部２４は、この出力モード設定部の情報を参照して、出力モードに応じて排煙動作の制御を行うようにしている。出力モードとしては、モノポーラの切開モード（図７ではＭｏｎｏ切開と略記）、モノポーラの凝固モード（図７ではＭｏｎｏ凝固と略記）、バイポーラの凝固モード（図７ではＢｉ凝固と略記）を選択することができる。これらの出力モードは、それぞれの処置を行うのに適した波形で高周波出力信号を電気メス３２に供給するように、予め用意されている。  
そして、制御部２４は、各出力モードで処置した場合に、発生する煙を適切に排煙できるように出力スイッチ３８がＯＮされたタイミングから予め設定された遅延時間後に排煙動作を開始させるように制御する。
【００２７】
具体的には、処置した場合における煙の発生量は、モノポーラの切開モードの場合が最も大きく、次にモノポーラの凝固モードの場合となり、バイポーラの凝固モードの場合が最も少ない。このため、この順序で、排煙動作の時間が長くなるように、制御部２４は排煙動作時間を制御する。  
本実施例による動作は、図７に示すようになる。図７に示すタイミング図は、実施例２における図５のタイミング図において、最大設定時、中央設定時、最小設定時の排煙動作をＭｏｎｏ切開選択、Ｍｏｎｏ凝固選択、Ｂｉ凝固選択に置換した動作に対応するようにしている。  
このように本実施例では選択された処置する出力モードによって定めされた期間、排煙出力を遅延させるようにしている。  
本実施例によれば、出力開始しても出力モードに応じた時間、排煙動作を行わせないことにより、体腔内の圧力低下を最小限に抑制して、適切な排煙を行うことができる。
【実施例４】
【００２８】
次に図８を参照して、本発明の実施例４を説明する。本実施例の電気手術システムは、実施例３のハードウェアの構成と同じであり、送気装置５の制御部２４による制御方法が異なる。つまり、本実施例において、制御部２４は、出力モード設定部の情報を参照して、出力モードに応じて排煙動作の制御を行うようにしている。  
実施例３では、実施例２に類似した制御方法を採用しているが、本実施例では実施例１に類似した制御方法を採用している。  
本実施例によるその動作のタイミング図は、図８に示すようになる。
【００２９】
図８に示すタイミング図は、実施例１における図３のタイミング図において、最大設定時、中央設定時、最小設定時の排煙動作をＭｏｎｏ切開選択、Ｍｏｎｏ凝固選択、Ｂｉ凝固選択に置換した動作に対応する。  
このように本実施例では、実施例１のように出力スイッチ３８をＯＦＦし、高周波出力が停止した後にも、選択された出力モードによって定めされた期間、排煙動作を継続させる。  
本実施例によれば、出力モードが異なる場合にも、適切な排煙を行うことができる。
【実施例５】
【００３０】
次に図９を参照して、本発明の実施例５を説明する。本実施例の電気手術システムは、実施例１の電気手術システムにおいて、高周波出力信号の出力状態をモニタするモニタ手段を設けている。  
このモニタ手段として、例えば電気メス３２を介して生体組織に高周波電流が流れる際のインピーダンスを測定して、その特性の変化を制御部３７はモニタする。そして、電気メス３２の先端（両電極間）のインピーダンス変化の特性から処置の進行の程度を評価する。そして、検出（測定）されたインピーダンスが、予め設定された閾値以上になった時点で、完了に近い状態に達したと判定して、高周波出力を自動的に低減する出力自動低減機能を備えている。  
そして、本実施例では、この出力自動低減機能が動作した情報も、送気装置５の制御部２４に送信し、この制御部２４はこの出力自動低減機能が動作した時点で、排煙動作を停止する制御を行うようにする。
【００３１】
その他は、例えば実施例１と同様の構成である。図９は、本実施例による動作のタイミング図を示す。本実施例は、出力スイッチ３８をＯＦＦからＯＮにし、高周波出力が電気メス３２に供給されて処置を行い、その後出力スイッチ３８がＯＮからＯＦＦにされるまでに自動低減機能が動作しない場合には図３に示した動作となる。  
一方、図９に示すように出力スイッチ３８を時刻ｔ１でＯＦＦからＯＮにし、高周波出力が電気メス３２に供給されて処置を行い、その後出力スイッチ３８が時刻ｔ２でＯＮからＯＦＦにされるまでの途中の時刻ｔ３において、出力自動低減機能が動作すると、制御部２４は、時刻ｔ１で排煙動作を開始させ、出力自動低減機能が動作する時刻ｔ３以降、排煙動作を停止させる（ＯＮからＯＦＦにする）。
【００３２】
このように本実施例においては、出力自動低減機能を持つ出力モードで高周波出力で処置を行い、出力自動低減機能が動作すると、出力スイッチ３８がＯＮの状態であっても、排煙動作を停止させる。  
本実施例は以下の効果を有する。電気メス３２による処置が十分に進行して高周波出力が低減された状態に達した場合には、煙の発生も低減するため、体腔内の圧力低下を抑制して適切な排煙を行うことができる。
【実施例６】
【００３３】
次に図１０を参照して、本発明の実施例６を説明する。本実施例の電気手術システムは、実施例１の電気手術システムにおいて、高周波電源装置３４は間欠的に高周波出力を出すモードを有している。  
この間欠的な出力モードの情報（例えば間欠的に高周波出力のＯＮ／ＯＦＦを制御するＯＮ／ＯＦＦ信号）を、送気装置５の制御部２４に送信し、制御部２４は、間欠的な出力モードに設定された場合には、その間欠的な出力モードに対応した排煙動作を行うように制御する。この場合、制御部２４は、例えば間欠的に高周波出力がされる期間、排煙動作を行うように制御する。その他は、実施例１と同様の構成である。  
次に本実施例の動作を説明する。間欠的な出力モードが選択されない状態では、実施例１と同様に図３に示すタイミング図のように動作する。
【００３４】
間欠的な出力モードに設定された状態で、出力スイッチ３８がＯＦＦからＯＮにされると、図１０に示すように間欠的に高周波出力が電気メス３２に供給されるようになる。    この場合、制御部２４は、高周波出力の間欠的なＯＮ／ＯＦＦに同期して排煙動作のＯＮ／ＯＦＦ制御を行うようにする。なお、図１０では、高周波出力は、ＯＮ期間をＡで、ＯＦＦ期間をＢで示しており、これらの期間Ａ＋Ｂを周期として、間欠的に出力される。  また、この場合、出力値は、例えば最初が最も大きな値で、そして、少しづつ出力値が低くなるような周期的な高周波出力となっている。  
このように本実施例では、間欠的な高周波出力とする機能を持つ出力モードで処置を行う場合、高周波出力のＯＮ／ＯＦＦに合わせて排煙動作をＯＮ／ＯＦＦするように制御する。  
本実施例によれば、間欠的な出力モードの場合にも、適切な排煙動作を行わせることができる。
【００３５】
本実施例の変形例として、図１１のように間欠的に出力される高周波出力のＯＮ期間における出力値に応じて、排煙動作をＯＮする期間を制御するようにしても良い。  
この場合、排煙動作（Ａ）のように、高周波出力が間欠的にＯＮになったタイミングで排煙動作もＯＮにし、出力値が大きい程、排煙動作のＯＮ期間を（高周波出力のＯＮ期間Ａ内で）長くしても良い。  
或いは排煙動作（Ｂ）のように、高周波出力が間欠的にＯＮになったタイミングで排煙動作もＯＮにし、出力値が大きい程、排煙動作のＯＮ期間を、高周波出力がＯＦＦにされた期間Ｂにおいて長くしても良い。このようにすると、より適切な排煙を行うことができる。
【００３６】
なお、上述した各実施例等においては、排煙する際の流量に関しては言及していないが、例えば出力設定手段による出力値或いは出力エネルギの実効値が大きい場合には、排煙する際の流量を大きくするように制御しても良い。また、排煙動作の時間と流量との両方で排煙量を制御するようにしても良い。  
なお、上述の説明では、高周波出力信号で電気的な手術を行う電気手術装置の場合で説明したが、超音波エネルギで切開や凝固の処置を行う場合に適用することもできる。  
なお、上述した各実施例等を部分的に組み合わせる等して構成される実施例等も本発明に属する。
【００３７】
［付記］
１．請求項１において、前記排煙制御手段は、前記出力設定手段による出力エネルギの実効的な値が大きい程、前記排煙手段により排煙量が大きくなるように制御する。  
２．請求項３において、前記排煙制御手段は、前記出力エネルギの実効的な値が大きい程、前記排煙動作の時間が長くなるように制御する。  
３．請求項４において、前記モニタ手段は、前記処置具を介して生体組織側のインピーダンスをモニタし、そのインピーダンス値が所定の値と比較した比較結果により、前記排煙制御手段は、排煙量を制御する。
【００３８】
４．請求項２において、前記出力設定手段により、前記処置具に供給される高周波出力信号は、間欠的に出力され、該間欠的な出力に応じて前記排煙制御手段は、排煙量を制御する。  
５．請求項３において、前記排煙制御手段は、前記高周波出力信号が供給開始される開始時のタイミングから前記排煙手段を動作開始させるまでの時間を制御する。  
６．請求項３において、前記排煙制御手段は、前記高周波出力信号の供給停止時のタイミングから前記排煙手段の動作を停止させるまでの時間を制御する。
【産業上の利用可能性】
【００３９】
電気メスに高周波出力（高周波電流）を供給して、処置対象の組織を切開等する場合、その出力値を変更するような場合においても、出力値の値等に応じて排煙する動作時間を可変制御し、より適切な排煙動作を行うようにした。
【図面の簡単な説明】
【００４０】
【図１】本発明の実施例１の電気手術システムの全体構成図。
【図２】図１における主要部の構成を示すブロック図。
【図３】実施例１における排煙動作のタイミング図。
【図４】実施例１における排煙動作のフローチャート図。
【図５】本発明の実施例２における排煙動作のタイミング図。
【図６】変形例における排煙動作のタイミング図。
【図７】本発明の実施例３における排煙動作のタイミング図。
【図８】本発明の実施例４における排煙動作のタイミング図。
【図９】本発明の実施例５における排煙動作のタイミング図。
【図１０】本発明の実施例６における排煙動作のタイミング図。
【図１１】変形例における排煙動作のタイミング図。
【図１２】従来例の動作のタイミング図。
【符号の説明】
【００４１】
１…電気手術システム
２…内視鏡装置
３…電気メス装置
５…送気装置
２…内視鏡装置
６…ベッド
７…患者
８…カメラ装着内視鏡
１３…腹腔
１４…トラカール
２２…バルブユニット
２３…炭酸ガスボンベ
２４…制御部
２５…吸引ポンプ
２７…出力スイッチ
３２…電気メス
３４…高周波電源装置
３６…高周波発生部
３７…制御部
３８…出力スイッチ
３９…出力設定部
４２…通信ケーブル
【図１】
2006288553.tif 000003
【図２】
2006288553.tif 000004
【図３】
2006288553.tif 000005
【図４】
2006288553.tif 000006
【図５】
2006288553.tif 000007
【図６】
2006288553.tif 000008
【図７】
2006288553.tif 000009
【図８】
2006288553.tif 000010
【図９】
2006288553.tif 000011
【図１０】
2006288553.tif 000012
【図１１】
2006288553.tif 000013
【図１２】
2006288553.tif 000014